(57)【要約】【課題】性教育あるいは母性看護学等を出張して、講習する時の教材で、女性生殖器の構造及び妊娠出産の仕組みを、理解させる事ができ、取り扱いが容易で、軽量かつ、かさ張らず、安価に製作できる、携帯に便利な性教育等の教材を提供。【解決手段】この発明は、女性生殖器及び胎児等をビニール等で、形成模写着色し立体的に模型化した物に、エアーポンプ等で空気を入れ、膨らます事で性教育用教材の立体模型となり、講師の裁量で、妊娠から出産に至るあらゆる場面を、説明できる。収納時は空気を抜き折りたたむことができ、携帯性があり、出張して講習する教材、または一時的に取り出して使用する教材用として利用できる。【選択図】　図７
2004126490.tif 000002
【特許請求の範囲】
【請求項１】
性教育又は母性看護学講義等を実施するに当たり、特に出張、派遣先で実施する際、現地までの携帯性に優れ、かつ立体的な教材として女性生殖器及び胎児等を、塩化ビニール等の素材で、模写着色形成し、単体もしくは複数の空気室を有し、それを空気で膨らますと立体模型となり、それを使って妊娠出産等の仕組みが説明できる事を特徴とした、携帯に便利な性教育等の教材。
【請求項２】
平面的に描いた掛図、もしくは請求項１からなる母体側面模型の、乳房下部と恥骨部の間の腹部位に、ゴム糸を張り、胎児の発育月の子宮部模型を装着し、その子宮の輪郭に沿って、ゴム糸を掛ければ子宮の大きさに連動して、母体の腹部の膨らむ様子が解る事を特徴とした携帯に便利な性教育等の教材。
【請求項３】
男性女性の内外性器を青少年等が違和感を持たない程度にアレンジ模写し請求項１により形成する事を特徴とした携帯に便利な性教育等の教材。
【請求項４】
素材が塩化ビニール等の大型シートで、掛図を構成し、折りたたみ可能であることを特徴とする、携帯に便利な性教育等の教材。
【発明の詳細な説明】
【０００１】
【発明が属する技術分野】
この発明は生殖器等を、塩化ビニール等の素材で、単一又は複数の空気室の組み合わせで形成し、模写、着色しエアーポンプ等で空気を入れ膨らます教育用立体模型、および塩化ビニール等を素材にした性教育教材の掛図に関する物である。
【０００２】
【従来の技術】
従来性教育等の教材は、素材が紙に描かれた掛図で解説する方式とビデオテープ等を見て解説する方式と、公開番号特開２０００−１１２３４１の布製性教育教材が先行技術としてある。尚、従来から周知されている人体等の立体模型は練り物、石膏等の素材で重量があり壊れ易く携帯には不向きであった。
【０００３】
【発明が解決しようとする課題】
以上のように従来の平面的な掛図では解説用に、多くの絵を必要とし、ビデオテープ等では、講師の個性が生かされず、また布製は携帯するとき、重量と体積があるなどの欠点を解決する為、携帯に便利で、壊れにくく、取り扱いが簡単で、安価で制作でき、立体的な模型等の教材を提供することを課題とする。
【０００４】
【課題を解決する為の手段】
上記目的を達成する為、塩化ビニール等で連続した複数の空気室を有した模型に、模写着色し、空気を入れれば立体的に膨らみ、空気を抜けば簡単に折りたたんで片付ける事ができる。また素材の塩化ビニールは、軽量、曲げる、広げる、折りたたむ等柔軟性があるため立体模型、掛図の教材及び携帯にその長所が生かせる。
【０００５】
【発明の実施の形態】
考案の実施の形態を実施例にもとづき図面を参照にして説明する。
図１は、性教育等で使う女性の生殖器断面立体型模型１であるが１は掛図シート２に固定され１全体にエアーポンプ３から空気を入れ膨らませば立体断面模型になる。この模型は図１のように掛図方式とするため横棒５をシート２の上下に付ける一例であるが枠組みにすればなお良い。又、掛図用紐６がある。
【０００６】
この模型を使って妊娠の過程を説明する場合の一例として、卵巣２２から卵子２３を排出し断面構造とした可動式の左側卵管２１および左側卵管采２４を図のように動かして卵巣を包み込み、その後、２４が２３を拾う様子を実演できる。さらに２１と２３はマグネット付きのため、説明の途中で２３を２１の任意の位置に貼り付けることができる。また精子が卵管内侵入、卵管膨大部での受精の様子もこの模型で説明でき、卵管内での卵分割、そして子宮内着床をマグネット付き２３を移動しながら説明できる。
【０００７】
図２は図１の断面図である。エアーポンプ３は空気を入れた後は取り外して使う。横棒５あるいは枠組みは携帯に便利なように組み立て式が望ましい。
【０００８】
図３は胎児の発育の様子とそれに伴う母体の腹部の大きくなる様子が解る掛図である。女性の臓器等の一部を描いた胴体部１５に母体の外郭と同じ色のゴム糸を乳房下部と恥骨部にゴム糸固定部１６で固定してあり母体のお腹が大きくなる様子はそれぞれ図５にある胎児の発育セットから任意の経過月胎児１８をマグネット１９に貼り付け１８の胎児背中側の輪郭に沿ってゴム糸１７をはめ込めば子宮の大きさに応じて母体のお腹が膨らんでいく様子が実現できる。尚、図３は妊娠初期の母体の一例で子宮がまだ小さく１７は一直線のままである。
【０００９】
図４は妊娠１０ヶ月目の様子である。マグネット１９に図５の１０ヶ月目１８を貼り付け子宮の輪郭に沿ってゴム１７をセットした一例を示し、臨月のお腹の膨らみ具合が理解できる。
【００１０】
図５は胎児の発育および子宮の大きさの模型１８で、各月別にセットでそろえてある。模型１８はその輪郭にゴム１７を掛けゴム糸が外れないように厚みのある模型１８とする。
【００１１】
図６は赤ちゃんの立体模型１１である。首、手、足、関節は可動性が有り１１と胎盤１３の付いた、さい帯１２は、さい帯脱着コネクタ２０で接続し１３の裏には、子宮内に取り付けるマジックテープ１０を組み込んである。
【００１２】
図７は、子宮内に赤ちゃん１１を実装した一例である。実装する場合は胎盤１３の裏にあるマジックテープ１０を、子宮内膜に貼り付け半立体的になっている子宮体８を押し広げ、１１を図のように屈折位で子宮の中に入れる。この装置では１１の向きを変える事や逆子等での実装もできる。
【００１３】
この装置を使った出産実演については、子宮頸部９を押し広げ、１１の頭部から取り出し１１を母体からすべて出した後、さい帯クリップで留めてから、さい帯用コネクタを外し、最後に胎盤マジックテープ１０を外して胎盤を取り出す。
【００１４】
請求項３の男性及び女性の外性器等の立体模型は、受講する青少年等に、違和感無く受け入れられる形とすることが望ましく、ここではその図等は省略する。
【００１５】
請求項４について従来は、用紙サイズＡ０版の上質紙で形成された掛図等を使用しているが、従来のサイズ以上の大きさで、折りたたみ可能な、塩化ビニール等に描く事が特徴であるが、説明図は省略する。
【００１６】
【発明の効果】
本発明は以上説明したように構成されるので、以下に記載されるような効果が望める。
【００１７】
塩化ビニール等で形成する為、空気を抜いて折りたたみが出来、かさばらず場所をとらないため、携帯用バッグに収納すれば、車に積み込んで移動する場合や、電車バス等で携帯して移動できる。
【００１８】
女性生殖器を、立体的に塩化ビニール等、柔軟性のある材質で構成するため、その特徴を受講生に説明し易く、理解され易い効果が望め、この立体型女性生殖器で、そのものの構造、仕組みが理解できる上、妊娠、出産のあらゆる場面も説明できる。
【００１９】
妊娠から出産にいたる経過の説明は、従来何枚もの絵や写真の教材を必要としたが、立体模型により、あらゆる角度から説明でき、携帯する荷物が最小限に抑えられ、しかも教育効果は従来以上のものが期待できる。
【図面の簡単な説明】
【図１】女性の生殖器断面立体型模型の正面図である。
【図２】女性の生殖器断面立体型模型の側面図である。
【図３】掛図式母体胴体部模型の妊娠初期を表わす側面図である。
【図４】掛図式母体胴体部模型の妊娠１０ヶ月目を表わす側面図である。
【図５】胎児の発育セット模型の正面図である。
【図６】さい帯および胎盤付き赤ちゃん模型の側面図である。
【図７】赤ちゃんを子宮内に実装した時の様子を裏側から見た正面図である。
【符号の説明】
１　　女性の生殖器断面立体模型
２　　掛図シート
３　　エアーポンプ
４　　エアーポンプ用ホース
５　　横棒
６　　吊り下げ用ひも
７　　空気弁
８　　子宮体
９　　子宮頸部
１０　マジックテープ
１１　赤ちゃん立体模型
１２　さい帯
１３　胎盤
１４　膣部
１５　女性胴部半立体模型
１６　ゴム糸固定部
１７　母体腹部輪郭用ゴム糸
１８　子宮内胎児模型
１９　子宮内模型貼り付け用マグネット
２０　さい帯用脱着コネクタ
２１　自在に動かせる卵管部
２２　卵巣
２３　卵子
２４　卵管采
【図１】
2004126490.tif 000003
【図２】
2004126490.tif 000004
【図３】
2004126490.tif 000005
【図４】
2004126490.tif 000006
【図５】
2004126490.tif 000007
【図６】
2004126490.tif 000008
【図７】
2004126490.tif 000009